(57)【要約】  ホログラフデータ記憶システムは、ホログラムの形のデータが媒体（４）の位置に記憶される露出後に定着される。光または他の電磁波、および熱放射の形の十分な定着エネルギーは、媒体の暴露によって媒体（４）に加えられ、または書き込まれた媒体の特定の位置に加えられる。エネルギーは、記録された媒体（４）を露出して、その未使用の動的範囲への記録を防止するのに十分である。それらの記録は、読み取りの間に行われるスプリアス記録、または媒体に入射するスプリアス光源からのものであり得る。一実施形態において、ホログラフ記録中に形成される参照ビーム（１０８）は、既に記録された媒体（４）の位置に再導光される。再導光されたビームは媒体を後露出して、これらの位置をスプリアス記録に対して定着する。ホログラフデータ記憶システムの完全性とその堅牢性は、本発明を組み込む定着方法および装置によって改善される。【選択図】図２
2007519036.tif 000002
【特許請求の範囲】
【請求項１】
感光性ホログラフデータ記憶媒体上にホログラフデータを記憶する方法であって、媒体の１個または複数の位置にコンピュータ読み取り可能なデータを表す１個または複数のホログラムを記録するステップと、それらの記録後に、前記位置へのさらに他の記録に対して媒体に定着させるのに十分なエネルギーで媒体を露出するステップとを含み、前記媒体が光ポリマー材料からなる方法。
【請求項２】
前記ホログラフ媒体が、複数のホログラフ像を受容できる動的範囲を有し、前記記録するステップが前記動的範囲の一部に行われ、前記露出するステップが前記動的範囲の残りに行われる請求項１に記載の方法。
【請求項３】
前記露出するステップが、前記記録するステップに用いられるものよりも大きなエネルギー範囲の露出エネルギーを提供する請求項１に記載の方法。
【請求項４】
前記露出するステップが、前記ホログラフ媒体に感光性のある光波長を提供する光源を用いて行われる請求項１に記載の方法。
【請求項５】
前記ホログラフ媒体が吸収する波長であって、波長を加えられた位置に媒体の熱的加熱をもたらす波長を含む光源を用いて、前記露出するステップが行われる請求項１に記載の方法。
【請求項６】
前記露出するステップが熱源を用いて行われる請求項５に記載の方法。
【請求項７】
前記露出するステップが、熱源および光源で行われる請求項１に記載の方法。
【請求項８】
前記記録するステップが、前記露出するステップを行うために前記媒体に再導光される光ビームを用いる請求項１に記載の方法。
【請求項９】
前記光ビームが参照ビームである請求項８に記載の方法。
【請求項１０】
定着に使用される前記参照ビームが、前記参照ビームで記録され、記録位置から離れた位置に導かれる際に、前記参照ビームによって定着されている位置以外の位置である前記記録位置で前記媒体に定着させるように、前記媒体を透過して前記媒体へ再導光される請求項４に記載の方法。
【請求項１１】
前記露出するステップがホログラフデータ記憶システムから離れた定着ステーション中の前記媒体上で行われる請求項１に記載の方法。
【請求項１２】
前記露出するステップが、その上にホログラフ像を記録した後、前記媒体に定着させるのに十分な光、熱、または他の電磁波エネルギーに前記媒体を暴露することによって行われる請求項１に記載の方法。
【請求項１３】
前記露出するステップが、記録のために用いられる光エネルギーを集め、前記エネルギーを前記媒体上の定着を行う位置に再導光することによって行われる請求項１に記載の方法。
【請求項１４】
前記露出するステップが、方向付けられ、拡散され、またはスプリアスホログラフ像を記録するには不十分な干渉性を有するビームによって行われる請求項１に記載の方法。
【請求項１５】
前記集められた光が、再び集められて前記媒体の異なる位置に複数回透過し、それによって複数の位置で同時に定着させる請求項１３に記載の方法。
【請求項１６】
前記露出するステップが、前記媒体の他の位置における記録と同時に、複数の位置で行われる請求項１に記載の方法。
【請求項１７】
前記露出するステップが、媒体を十分定着させるために複数の前記露出するステップで行われる請求項１に記載の方法。
【請求項１８】
感光性ホログラフデータ記憶媒体上にホログラフデータを記憶する装置であって、媒体の１個または複数の位置にコンピュータ読み取り可能なデータを表す１個または複数のホログラムを記録する手段と、それらの記録後に、前記位置へのさらに他の記録に対して媒体に定着させるのに十分なエネルギーで媒体を露出することのできる手段とを含み、前記媒体が光ポリマー材料からなる装置。
【請求項１９】
前記ホログラフ媒体が複数のホログラフ像を受容できる動的範囲を有し、前記記録する手段が前記動的範囲の一部に記録を行うことができ、前記露出する手段が前記動的範囲の残りで露出を行うことができる請求項１８に記載の装置。
【請求項２０】
前記露出する手段が、前記記録する手段に用いられるものよりも大きなエネルギー範囲の露出エネルギーを提供することができる請求項１８に記載の装置。
【請求項２１】
前記露出する手段が、前記ホログラフ媒体に感光性のある光波長を提供する光源を含む請求項１８に記載の装置。
【請求項２２】
前記露出する手段が、前記ホログラフ媒体が吸収して波長を加えられた位置に媒体の熱的加熱をもたらす波長を含む源を含む請求項１８に記載の装置。
【請求項２３】
前記源が熱源である請求項２２に記載の装置。
【請求項２４】
前記源が熱源および光源を含む請求項２２に記載の装置。
【請求項２５】
前記記録する手段が光ビームを提供する手段を含み、前記露出する手段が前記光ビームを前記媒体へ再導光する手段を含む請求項１８に記載の装置。
【請求項２６】
前記記録する手段が参照ビームとして前記光ビームを提供することのできる請求項２５に記載の装置。
【請求項２７】
前記記録する手段が、定着のための参照ビームと、前記参照ビームで記録され、記録位置から離れた位置に導かれる際に、前記参照ビームによって定着されている位置以外の位置である前記記録位置で前記媒体に定着させるように、前記媒体を透過させ、前記媒体へ前記参照ビームを再導光する手段とを用いることができる請求項２５に記載の装置。
【請求項２８】
前記露出する手段が、前記媒体を、その上にホログラフ像を記録した後に前記媒体に定着させるのに十分な、光、熱、または他の電磁波エネルギーに暴露する手段を含む請求項１８に記載の装置。
【請求項２９】
前記露出する手段が、前記記録する手段から離れた定着ステーション中ので前記媒体上動作する請求項１８に記載の装置。
【請求項３０】
前記露出する手段が、前記記録する手段からの光エネルギーを集め、前記エネルギーを前記媒体上の定着を行う位置に再導光することによって動作する請求項１８に記載の装置。
【請求項３１】
前記露出する手段が、方向付けられ、拡散され、またはスプリアスホログラフ像を記録するには不十分な干渉性を有するビームによって動作する請求項１８に記載の装置。
【請求項３２】
前記露出する手段が、記録のために用いられる集められた光エネルギーであって、再び集められて前記媒体の異なる位置に複数回透過しそれによって複数の位置で同時に定着させる光エネルギーで動作する請求項３０に記載の装置。
【請求項３３】
前記露出する手段が、前記媒体の他の位置における記録と同時に、記録された複数の位置で動作する請求項１８に記載の装置。
【請求項３４】
前記露出する手段が、媒体を十分定着させるために、前記媒体の複数の露出によって動作する請求項１８に記載の装置。
【請求項３５】
１個または複数の記録されたホログラムを有する感光性ホログラフデータ記憶媒体上にホログラフデータ記憶を定着させる装置であって、前記装置が、前記位置へのさらに他の記録に対して媒体に定着させるのに十分なエネルギーで媒体を露出する手段を含む装置。
【請求項３６】
前記露出する手段が、方向付けられ、拡散され、またはスプリアスホログラフ像を記録するには不十分な干渉性を有するビームによって動作する請求項３５に記載の装置。
【請求項３７】
前記露出する手段が、前記ホログラフ媒体に感光性のある光波長を提供する光源を含む請求項３５に記載の装置。
【請求項３８】
前記露出する手段が、前記ホログラフ媒体が吸収し、波長を加えられた位置に媒体の熱的加熱をもたらす波長を含む源を含む請求項３５に記載の装置。
【請求項３９】
前記源が熱源である請求項３８に記載の装置。
【請求項４０】
前記源が熱源および光源を含む請求項３８に記載の装置。
【請求項４１】
前記露出する手段が、前記媒体を、前記媒体に定着させるのに十分な、光、熱、または他の電磁波エネルギーに暴露する手段を含む請求項３５に記載の装置。
【請求項４２】
前記媒体の１個または複数の位置に、データを表す１個または複数のホログラムを記録するための手段をさらに含む請求項３５に記載の装置。
【請求項４３】
前記露出する手段が、前記記録する手段から離れた定着ステーションで前記媒体上に動作する請求項４２に記載の装置。
【請求項４４】
前記露出する手段が、前記記録する手段からの光エネルギーを集め、前記エネルギーを前記媒体上の定着を行う位置に再導光することによって動作する請求項４２に記載の装置。
【請求項４５】
前記露出する手段が、前記記録する手段が動作するエネルギーを超える大きなエネルギー範囲にわたって露出エネルギーを提供することのできる請求項４２に記載の装置。
【請求項４６】
感光性ホログラフデータ記憶媒体上にホログラフデータを記憶する方法であって、媒体の１個または複数の位置にデータを表す１個または複数のホログラムを記録するステップと、それらの記録後に、記録用の光エネルギーを集め、前記エネルギーを前記媒体の定着を行う少なくとも１個の前記位置に再導光することによって、前記位置へのさらに他の記録に対して前記媒体に定着させるのに十分なエネルギーで前記媒体を露出するステップとを含む方法。
【請求項４７】
前記集められた光が再び集められ、前記媒体の異なる位置を複数回透過させられ、それによって複数の前記位置を同時に定着する請求項４６に記載の方法。
【請求項４８】
感光性ホログラフデータ記憶媒体上のホログラフデータ記憶装置であって、前記媒体上の１個または複数の位置にデータを表す１個または複数のホログラムを記録する手段と、それらの記録後に、前記記録する手段からの光エネルギーを集め、前記エネルギーを前記媒体の定着を行う少なくとも１個の前記位置に再導光することによって、前記位置へのさらに他の記録に対して前記媒体に定着させるのに十分なエネルギーで前記媒体を露出する手段とを含む装置。
【請求項４９】
前記露出する手段が、複数の前記位置を同時に定着することができる請求項４８に記載の装置。
【発明の詳細な説明】
【技術分野】
【０００１】
本発明は、ホログラフデータ記憶に関し、詳細には、記録のために使用される範囲外の媒体の動的範囲内のデータ記憶を制御することによって、ホログラフデータ記憶媒体の完全性または堅牢性を改善する方法および装置に関する。ホログラフ媒体の動的範囲の残りが消費され、それによって、ホログラフ媒体はホログラフ媒体に影響を与えることができるさらなる照明に対して非感光性になり、特にさらなる記録事象、または、読み取り中の記録の修正または消去に対して非感光性になる。本発明によって提供される方法および装置の運転は、本明細書において感光性ホログラフ媒体の定着と呼ばれる。本発明によって、ホログラフ媒体の定着はデータを媒体に記録するのに使用されるホログラフデータ記憶システム（ＨＤＳＳ）の内部または外部のいずれかで行うことができる。ホログラフ媒体の定着は光源を用いて行うことができ、光源はＨＤＳＳ中のデータの書き込みおよび／または読み取りに使用される光源と同じものとすることができ、またはＨＤＳＳの内部または外部のいずれかの別の光源とすることができる。本発明による媒体の定着は熱だけを加えること、またはホログラフ媒体の露光と併せて行うことができる。
【背景技術】
【０００２】
ホログラフデータ記憶システム（ＨＤＳＳ）では、媒体中の同じ点に多重化されることによってデータの多重ページまたはビットが共配置される。このように、適切な感光性ホログラフ媒体は、この共配置記録を達成するために十分な動的範囲を有する必要がある。ＩｎＰｈａｓｅ  Ｔｅｃｈｎｏｌｏｇｉｅｓ（Ｌｏｎｇｍｏｎｔ，Ｃｏｌｏｒａｄｏ  ＵＳＡ）およびＡｐｒｉｌｉｓ，Ｉｎｃ．（Ｍａｙｎａｒｄ，Ｍａｓｓａｃｈｕｓｅｔｔｓ，ＵＳＡ）によって商業化され販売されている光ポリマー材料などのホログラフ媒体は、典型的に、ホログラフ的に共配置記録される新しいページの各々に対して、逐次的に高い露出線量を必要とする露出曲線を有する。
【０００３】
図１は、各ホログラムが５１２×５１２ピクセルページの１４８個の共配置ホログラムで記録した、Ａｐｒｉｌｉｓ，Ｉｎｃ．製の厚さ４００μｍの光アドレス可能なポリマー媒体の露出曲線を示す。ほぼ等しい解像度で媒体に記録された逐次的なホログラム各々について、必要な露出線量は非線形的な割合で増加する。ホログラフ材料の利用できる動的範囲または累積グレーチング強度（Ｍ／＃）は、好ましくは全て実質上同じ回折効率ηで材料に記録することのできるホログラムＭの数によって定まる。図１に示すように、光ポリマーホログラフ媒体に多くのホログラムを書き込むとき、新しいホログラム各々に対して一定の回折効率を維持するために露出線量を単調に増加させなければならない。研究室では、各新しいホログラムに対する露出線量の増加、または実際には書き込み時間の増加の結果は、重要でないかもしれない。しかし、実際のホログラフ光データ記憶製品において、各新しく記録されるホログラムの露出線量の増加は、ＨＤＳＳの書き込み速度が、逐次的に書き込まれる共配置ホログラムごとに一定して低下することを意味する。また、最終の逐次的共配置ホログラムを露出するために十分な出力を有するレーザーを使用しなければならない。高出力レーザーは、ＨＤＳＳのための過剰な電力を必要とするだけでなく、政府の規制を受ける環境的な危険性を有することがあるので、後者は望ましくない。したがって、ホログラフ媒体に共配置で記録される逐次的なホログラム各々に必要な露出線量が指数的に増加することは、ホログラフ媒体の各位置に実際に記憶することのできるホログラムの総数を制限し、したがって、ＨＤＳＳの記憶容量を制限する。
【０００４】
残りの、未使用の動的範囲は、媒体が照明にまだ感受性があるので、他の広範囲の問題を招く。この照明は記録されたホログラムと干渉するスプリアス的悪影響を与え得る。これらの効果は、特に読み取りにおいて、誤差またはノイズとして現れることがある。読み取り中に媒体が露出されるエネルギーは、ホログラフ記録（グレーチング）のスプリアス記録または過剰書き込みを招くことがあり、読み取りを妨害しノイズを生成する。
【０００５】
媒体の、使用される動的範囲の部分外を非感受性にし、特に読み取りビームによるようなスプリアス記録事象などから非感受性にすることによってこれらのスプリアスの影響を低減することは本発明の主要な特徴である。本発明による媒体の定着は、未使用の動的範囲への記録を軽減し、データが記録されたページに欠陥を生じさせない。
【０００６】
図１の露出計画は、ＨＤＳＳが１０ｍＪ／ｃｍ２未満の露出を必要とする共配置ホログラムだけを記録するように制限することができる。１０ｍＪ／ｃｍ２よりも多くを要求するホログラムに対して必要な露出時間は、システムの振動モードに比べて長すぎ、それらのより長い露出時間はＨＤＳＳの書き込み速度に障害を与えることがある。図１の特定の実施例において、１０ｍＪ／ｃｍ２の要件は、１３２ページ、すなわち利用可能な１４８ページのホログラフ記憶容量または動的範囲の８９％が記録されることを意味する。ホログラフ媒体がそれらの８９％レベルを記憶するために露出される累積露出線量が２８４ｍＪ／ｃｍ２であるのに対して、全１００％レベルの記憶には７４２ｍＪ／ｃｍ２が必要であり、４５８ｍＪ／ｃｍ２の差がある。本発明によれば、媒体は未使用の動的範囲を超える記録を防止する追加の露出線量によって定着される。したがって、この実施例におけるホログラフ媒体の未使用の動的範囲を消費するためには最低４５８ｍＪ／ｃｍ２の追加の露出線量が必要である。追加の露出は、ホログラフ媒体を１００％記憶容量レベルに対するよりも高い累積露出線量まで露出することが好ましいので、より多くすることができる。
【０００７】
媒体が最初に１３２の共配置ホログラムで記録された後、定着のための後露出を与えなければ、読み取りビーム（通常参照ビーム）による記録されたデータのあらゆる読み取りは、媒体中に追加の望ましくないグレーチングの形成を招くであろう。スプリアスまたはノイズグレーチングと呼ばれるこれらの望ましくないグレーチングは、参照ビームのホログラフ媒体の内部または外部界面からの反射、またはホログラフ光学ドライブ内部のあらゆる表面からの反射によって形成され得る。参照ビームおよびその反射が干渉することがあり、また参照されたビームがそれ自体と、またはホログラフの回折光またはホログラフ媒体内に記憶されたホログラムと干渉することがある。これらのスプリアスまたはノイズグレーチングは、システムの信号対ノイズ比（ＳＮＲ）の低減を招き、光ドライブのビットエラー率（ＢＥＲ）を増加させる。
【発明の開示】
【発明が解決しようとする課題】
【０００８】
したがって、媒体の未使用または残りの動的範囲が本質的に消費され、さらなる露出または記録に対して定着される光ドライブで使用される、高性能なホログラフ記録システムを提供することは本発明の重要な特徴である。本発明によってホログラフ媒体の残りの動的範囲を消費することは、追加の露光に非感光性であるホログラフ媒体を与え、それによって媒体に定着させ、媒体上への共配置ホログラフ記録を確保する。
【課題を解決するための手段】
【０００９】
簡単に述べれば、本発明をホログラフデータ記憶に適用して、データを媒体中に記録するために使用されるホログラフデータ記憶システム（ＨＤＳＳ）の内部または外部のホログラフ媒体の定着を行うことができる。定着源は、ＨＤＳＳ中のデータの書き込みおよび／または読み取りに使用されるものと同じ源であってもよいし、またはＨＤＳＳの内部または外部のいずれかに配置される別の源であってもよい。定着源はホログラフ媒体が感光性のある電磁波波長を放射する。源は、ホログラフ媒体が吸収し、それによってホログラフ媒体を加熱するであろう波長を放射する光源であってもよい。あるいは、源はそれらの波長を放射してもよいし、また、放射しなくてもよい熱源とすることができる。２種またはそれ以上の前述の源を併せて使用することができる。ホログラフ媒体は、ホログラフ媒体の全容量に同時に定着させてもよいし、または１回の運転でホログラフ媒体の一部に選択的に定着させてもよい。
【００１０】
さらに詳細には、ホログラフ媒体は、ホログラフ媒体が感光性のある電磁（ＥＭ）放射を用いて定着させることができる。ＥＭ源は、ホログラフ媒体が最も感光性の高い波長の範囲に集められた放射スペクトルを有することが好ましく、それによってホログラフ媒体は急速に定着され、源の運転電力を最小にすることができる。また、ＥＭ源は非干渉エネルギーを提供すべきであり、それによってホログラフ媒体の残りの動的範囲を消費するために必要な露出時間中のあらゆるノイズグレーチングの生成が最小化される。非干渉性源は、例えば白熱灯または蛍光灯、低干渉光発光ダイオード（ＬＥＤ）、または低干渉性ＬＥＤアレーであってもよい。
【００１１】
レーザー源を使用することもできる。このレーザー源は、レーザー源の前またはレーザー源から光ビームの通路に置かれた回転拡散板の使用などによって非干渉性にされることが好ましい。レーザー源は、記録に使用される媒体中の位置における露出を減少させるために、データページの記録中に使用される角度とは十分異なる角度で媒体に入射することが好ましい。このようにして、定着中に生成されるあらゆるノイズグレーチングは、ホログラフ媒体内にデータを記憶する目的で記録されたグレーチングとはＢｒａｇｇ調和しない。また、ノイズグレーチングは排除され、または生成されないことができ、または、それらのノイズグレーチングの強度は、定着中に生成されたあらゆるホログラフ干渉縞が洗い流されるように、定着源またはホログラフ媒体を動かすことによって低減することができる。定着源は定着ビームをホログラフ媒体に中継するシステムの１個または複数の光学要素を有することができ、その要素は、定着工程中に生成されたあらゆる干渉縞が洗い流されるように、十分迅速に振動しまたは動く。ホログラフ媒体が円板の形である場合、円板は定着工程中に生成された干渉縞が洗い流されるように、十分な高速（ｒｐｍ）に回転することができる。
【００１２】
ホログラフ媒体の定着に使用されるＥＭ放射源はＨＤＳＳの読み取り／書き込み用ＥＭ照射源とは別であってもよい。このＥＭ源はＨＤＳＳ内に含まれることもＨＤＳＳの外部にあることもできる。例えば、ＨＤＳＳがより大きなデータ記憶システムの部分であるとき、ＥＭ源はより大きなデータ記憶システム内に、しかしＨＤＳＳとは離れて含まれることができる。定着工程は、ホログラフ媒体全体に同時に定着させることも、または１回に媒体の一部だけに定着させるように行うことができる。
【００１３】
ホログラフ光ドライブ内の書き込みおよび／または読み取りに使用される同じＥＭ放射がホログラフ媒体の定着に使用される場合、定着の間に記録されたあらゆるノイズグレーチングの強度は、ＥＭ放射の干渉長さを低減することによって（例えば、回転拡散器を用いることによって）、または定着の間に生成されることのあるあらゆる干渉縞を洗い流すように十分高速で動く（例えば振動する）少なくとも１個の表面を有することによって、低減することができる。
【００１４】
必要であれば、ホログラフ媒体の定着は、定着している領域ではなく、ホログラフ媒体の異なる領域で行われているデータ記録事象と同時に行うことができる。例えば、ホログラフ媒体の記録に使用される参照ビームの一部を用いて、前にデータを記録し定着を必要とされる領域でホログラフ媒体中が定着される。この場合、参照ビームは、一部が対象ビームと重なり合ってホログラフデータの記録に用いられ、対象ビームと重なり合わない他の部分は媒体の露出およびそれによる定着に用いられるようなサイズにされる。
【００１５】
参照ビームは、ホログラフ媒体を透過する参照ビームの全てまたは一部をホログラフ媒体へ導いて、制限された動的範囲に光記録システムによって既に完全に書き込まれたホログラフ媒体の位置に再び戻すことによって、定着に用いることができる。再導光された参照ビームは、それがホログラフ媒体表面上に入射するとき、後露出および定着される位置に前に書き込まれたいかなるデータグレーチングともＢｒａｇｇ調和しないように修正されることが好ましい。このようにして、媒体が（いわゆる円板媒体のトラック上に）書き込まれている間、他のトラックまたは同じトラック上に前に書き込まれた位置で定着させることができる。再導光された参照ビームを用いる場合、後露出定着に必要な露出線量は、データの書き込み中にホログラフ媒体が受け取る累積露出線量よりも少ないことが好ましい。必要とされる追加の光露出量がデータ書き込みのための累積露出を超える場合、定着を必要とするホログラフ媒体の領域が定着に必要な線量を受け取るまで、参照ビームが二度または三度媒体を通過させられてもよい。ビームがホログラフ媒体を数度露出するような定着ビームの再導光は、定着ビームが書き込みに用いられる源から発する場合、ならびに別の定着源がＨＤＳＳの内部または外部で用いられる場合に適用される。
【００１６】
定着がホログラフ媒体の加熱によって行われる場合、直接熱源（例えば抵抗体熱源）は、ホログラフ媒体を記録しているＨＤＳＳの内部、外部、または内部と外部に配置されることができる。ホログラフ媒体は、ホログラフ媒体全体を同時に熱処理する（熱に暴露する）か、またはホログラフ媒体の局所領域を熱処理することによって定着されることができる。例えば、ホログラフ媒体内のグレーチングを記録することはできないが、ホログラフ媒体によって吸収される波長を含むＥＭ源を備える間接手段による、媒体の間接加熱を用いることができる。吸収されたエネルギーは、その後熱に変換され、ホログラフ媒体に定着させる。金属または他の高伝導性材料を含むホログラフ媒体の場合、誘導加熱を用いることができる。ホログラフ媒体の定着は加熱と光露出の組み合わせによっても行うことができる。
【００１７】
本発明の、前述、および他の特徴および利点は添付の図面と共に以下の詳細な説明を読解することによってさらに明らかになるであろう。
【発明を実施するための最良の形態】
【００１８】
図２は、光を通さない筐体１ａ中のＨＤＳＳを示す。ＨＤＳＳは取り外し可能なホログラフ媒体４を提供する円板を用いる。筐体１ａは、好ましくは光を通さない開口２を有し、そこを通してホログラフ媒体４をＨＤＳＳの中に挿入することができる。ホログラフ媒体はカートリッジ内に収容されることができる。それらのカートリッジは、共に２００４年１０月１４日に出願された米国特許仮出願第６０／５１０，９１４号、米国特許出願番号第１０／９６５，５７０号、および国際出願ＰＣＴ／ＵＳ０４／３３９２１号に説明されている。説明を簡明にするため、カートリッジおよびカートリッジに伴うシャッターおよびシャッター機構は示していない。説明を簡明にするため、挿入されたホログラフ媒体を受け取り、ＨＤＳＳ内の上記媒体を駆動するために必要な機構に上記ホログラフ媒体を整列させ、係合を確実にするためのカートリッジ装填器または他の可動固定具も図示されない。図２において、ホログラフ媒体４は、回転モーター５に固定された回転軸６に固定されて示される。このようにして、媒体は矢９ａで示す方向に軸９の周りを放射状に回転することができる。回転モーター５は、書き込み光学モジュール１３と読み取り光学モジュール１１の静止光学系を横断して、回転モーター、したがってホログラフ媒体を１０ａで示されるｚ方向に動かす、直線状台１０に固定される。回転モーター５の回転動作と直線状台１０の直線移動によって、ホログラフ媒体の大きな円形部分のアドレスが指定される。図２に示した幾何形状は、どのようにしてＨＤＳＳ内のホログラフ媒体のアドレスが指定されるかを示す一例にすぎない。例えば、ホログラフ媒体は、読み取りと書き込み用光学モジュールが媒体を横断して動く際に回転することができる。ホログラフ媒体は静止し、光学モジュールだけが物理的に動いて、適切な読み取りおよび／書き込みビームを円板表面へ導くことができる。ホログラフ媒体は、軸９の周りを回転するのではなく、適切なｘ台およびｙ台を用いることによってｘ方向およびｙ方向に動かされ、かつ、図２に示されるように直交方向１０ａへ動くことができる際に光学系が静止していてもよい。本発明は前述および他のＨＤＳＳシステム、およびホログラフ媒体を用いる他のシステムにおいて実施することができる。
【００１９】
図２は、が、ホログラフ媒体４の両側に書き込み光学モジュール１３と読み取り光学モジュール１１とを有する透過式ホログラフ幾何形状の、例示的ＨＤＳＳを示す。書き込みおよび読み取りモジュールは各々多数の光学要素１４および１２を含み、例としてレンズが示される。
【００２０】
書き込みおよび読み取りモジュール１１および１３は、複数の個別の光学系１０４および１０７（簡明さのためこれらの系のそれぞれについて１個だけが図示される）を有し、本発明による定着のために、ホログラフ媒体４を透過した参照ビームを再導光し、再び参照ビームをホログラフ媒体を通して戻すことができる。これらの光学系１０４および１０７は、動的であってもよい（例えば、動く光学要素および／または光機械的構成要素を有する）。それらの動きを制御するために、系１０４および１０７は制御ケーブル１１０を介して制御器１０６に接続される。光学系１０４および１０７の位置および方向付けは、データ記録を行う光学要素１４の位置に対して制御される。参照ビームを再導光する光学系の使用は、図４〜７と共に、より詳細に説明される。
【００２１】
また、定着は源１０５を用いて行うことができる。したがって、書き込みおよび読み取りモジュールは少なくとも１個の定着源１０５を含み、読み取りモジュールの一部として示されているが、読み取りモジュール１１、書き込みモジュール１３、または両方のモジュールのいずれかに配置することができる。定着源の使用は、図７〜９と共に以下で論じられる。
【００２２】
図２に示したＨＤＳＳの実施例において、レーザーであることが好ましい光源１５からの光は、ビーム分割器１６によって２個のビームに分割される。分割されたビームの１つは対象ビーム１０９であり、光強度が、書き込まれるべきデータを有する（または表示する）空間光変調器（ＳＬＭ）１９に向かうように、ビーム成形光学系１８によって成形されたビームであることが好ましい。ＳＬＭからの光１００は、書き込み光学モジュール１３の光学要素１４を介してホログラフ媒体４に中継される。ビーム分割器から分割された２個のビームの２つめは、参照ビーム１０８である。このビームは、参照ビームを成形しそのビームをホログラフ媒体に導いて対象ビーム１００と干渉させる参照光学系１７を通過する。図２は、平面角度および／またはペリストロフィック（方位角）多重の場合、いかにして２個の個別の参照ビーム１０１ａおよび１０２ａが異なる方向づけで逐次的にホログラフ媒体上に入射することができるかを示す実施例である。あるいは、スペックルおよびシフト多重通信などのシステム１７によって提供される多重の他の形態を、ＨＤＳＳ１で用いることができる。
【００２３】
ホログラフ媒体からデータを読み取るために、対象ビームがホログラフ媒体を照明することを防止することができる。参照ビームの遮蔽は光機械システム（図示されない）によって行うことができる。そのような光機械システムの実施例は、機械的シャッター、ＥＯもしくはＡＯシャッターまたは偏向板、またはビーム分割器１６が偏光ビーム分割器である偏光回転装置である。ホログラフ媒体に記憶されたデータを読み取るとき、参照ビームは、書き込み工程中に用いられる参照ビームの方向付けおよび波面に一致する一連の参照ビームの方向付けおよび波面でホログラフ表面を照明する。記録工程に用いられる参照ビームに一致する所与の参照ビームが媒体を照明するとき、記憶されたホログラムを読み取ることができ、このホログラムからの回折光１１１は読み取りモジュール１１の光学要素１２によって捕捉され、検出器１０３上に像形成される。ＨＤＳＳの読み取りおよび書き込みサイクルの両方の間に、サーボシステム７を用いてホログラフ媒体の位置を追跡することができる。このサーボシステムは光ビーム８を用いてホログラフ媒体からの位置情報を検出することができる。本発明によって提供される定着装置以外に、ＨＤＳＳのさらに多くの情報は、前述および他のＨＤＳＳ実施形態に関する、１９９６年１月９日発行のＰｕらの米国特許第５，４８３，３６５号、およびＪ．Ａｓｈｌｅｙらの論文「ホログラフデータ記憶（Ｈｏｌｏｇｒａｐｈｉｃ  ｄａｔａ  ｓｔｏｒａｇｅ）」ＩＢＭ  Ｊ．Ｒｅｓ．Ｄｅｖｅｌｏｐ，Ｖｏｌ．４４，Ｎｏ．３、３４１頁（２０００年５月）などの特許および刊行物から得ることができる。
【００２４】
ＨＤＳＳ中の多くの光機械システムは動的制御を必要とし、ケーブル（例えば電気的または光学的）を介して１個または複数の制御器１０６に接続される。ＨＤＳＳ内の制御器は、ＳＬＭ１９によって表示されるデータの制御と調時、光源の変調と出力レベル、データの受け取りと検出器から受け取ったデータの複調、ホログラフ媒体追跡用のサーボ制御、参照ビーム波頭および／またはＨＤＳＳの特定の多重化形態に必要とされる角度の制御と調時のために、複数の仕事を行うことができる。制御器は、プログラムされたマイクロプロセッサに基づく装置であってもよく、これらの様々な光機械システムに必要なあらゆるエネルギーを、１１０で示した接続を介して供給することができる。ＨＤＳＳの内部制御器は、光を通さない開口を通って筐体１ａの中へ送られた接続１１７を介して、外部制御器１１２に接続される。この外部制御器は、パーソナルコンピュータ、企業ライブラリーデータ記憶システム、またはコンピュータサーバーなどのコンピュータとすることができる。
【００２５】
ＨＤＳＳ１内のホログラフ媒体４の定着は、後露出、またはデータが媒体中の位置に記録された後、または媒体が完全に記録された後行われる。例えば、最初に、必要なホログラフデータをビーム１００と１０１を用いてホログラフ媒体の１組の位置（点）に記録し、次いで、これらの記録位置に戻って、好ましくは記録中の参照ビームの角度の軸からはずれた角度に方向付けられた参照１０１ａだけを用いて定着を行うことができ、または前に記録したデータとＢｒａｇｇ調和しない波頭を有するビームで定着を行うことができる。
【００２６】
図３〜７は、上記ホログラフ媒体内の他の位置はまだ書き込みが行われており、または書き込まれるであろう状態で、前に書き込まれたホログラフ媒体の位置の同時定着を可能にする定着器具（装置）の実施形態を示す。図３はＨＤＳＳ１内のホログラフ媒体４の記録面の断面を示す。この実施例において、ホログラフ媒体４は、上述の感光性ホログラフ光重合可能な材料または、他の同様の材料であり市場で入手可能な材料のような感光性材料３１を挟んだ２個の基板３０から構成される。対象ビーム１００および参照ビーム１０１はホログラフ媒体で干渉する。参照ビームの一部３３は、感光性材料３１で干渉して、縦線で印した位置３４にホログラムを記録する。参照ビームの他の部分３２は対象ビームと干渉しないが、前に記録され後露出することが望まれる領域３５中の感光性媒体を露出する。例えば、ホログラフ媒体がステップアンドリピートの方法で記録されるならば、ホログラフ媒体のある位置が記録されている間に、媒体上の前に記録された位置が定着される。他の実施例として、円板ホログラフ媒体の場合、円板の１つのトラックが記録されるとき、前に記録されたトラックを定着させることができる。図３及び開示されている他の図には、挟まれた感光性媒体を用いる透過グレーチング幾何形状が描かれているが、本明細書に説明される実施形態は、反射モードで、２個の基板で挟まれていないホログラフ媒体と共に動作するＨＤＳＳシステムに適用することができる。ただし、後者は現在あまり好ましくない。
【００２７】
図４に示した定着装置において、図３に用いられる過剰サイズの参照ビームは必要ではない。あるいは、参照ビーム１０１は、書き込まれた感光性媒体３１の位置で、その投影面積が対象ビーム１００の投影面積にほぼ一致するように成形される。参照ビームの透過部分は、光学系１０７によって定着を必要とする感光性媒体の部分へ再導光される。光学系１０７を組み込むことの利点は、参照ビームで定着される領域３５が、同時に記録される領域３４と隣接している必要がないことである。外径５０を有する円板フォーマット（図５参照）のホログラフ媒体の実施例では、トラック５３上の位置３５が定着され、同時にトラック５２上の位置３４に書き込むことができる。系１０７の他の利点は、３５に向けて再導光される参照ビームが、データ書き込み工程の部分として記録されたいかなるホログラムともＢｒａｇｇ調和しない、または殆どＢｒａｇｇ調和しない波頭および／または伝播方向を有するように設計できることである。
【００２８】
光学系１０７は、参照ビームをホログラフ媒体へ再導光して戻す平坦なミラーとすることができるが、再導光および再合焦は、反射要素および／または透過レンズ、回折要素、またはフレネル要素のシステムを用いることができる。角度またはペリストロフィック多重ホログラムについては、再導光された参照ビームに露出される領域は、参照ビーム１０１の伝播角度の関数として同時に書き込まれる領域に対して位置を変化させないことが好ましい。したがって、光学系１０７はほぼ楕円形の非球面ミラーとすることができ、その楕円反射面の１つの焦点は位置３４に一致し、他の楕円面の焦点は位置３５に一致する。参照ビーム１０１が、シフト多重ホログラムを提供するために用いられる球状発散ビームである場合、光学系１０７は、透過した拡散する参照ビームを集めそれをホログラフ媒体に再導光する凹ミラーとすることができる。
【００２９】
再導光された参照ビームが、当初記録のためにホログラフ媒体を透過した当初の参照ビームに比べて短い干渉長さを有するように、静止状または動的（例えば、回転する、揺動する、または言い換えれば動く）拡散器などの装置を光学系１０７中に組み込むことができる。好ましい実施形態において、光学系１０７は、媒体上の位置３５が、書き込まれているホログラフ媒体上の位置３４に対して空間関係において固定されるように、ＨＤＳＳ中に組み込まれる。したがって、光学系１０７および記録のために用いられる光学要素１４は、ホログラフ媒体の異なる領域がアドレスされる際に、互いに対して固定されることが好ましい。感光性媒体は入射ビームに不透明ではないので、参照ビームは消耗されず、残りの透過したエネルギーは前に書き込まれた位置で定着の目的に使用されることができる。例えば、Ａｐｒｉｌｉｓ，Ｉｎｃ．製の光ポリマー材料を含む媒体は、媒体に入射する光の７０〜９０％を透過させ、それによって、極めて多くの光量が残り、これは定着の目的のためにホログラフ媒体に向かって導光されることができる。
【００３０】
図６を参照すると、定着の必要のあるホログラフ媒体の位置６０に向けて再び参照ビームを導光して戻すために、第２光学系１０４が加えられる。いくつかのＨＤＳＳにおいて、参照ビームはビームが表面に衝突する角度が変化する。ビームが表面に形成する角度にかかわらず、光学系が定着の必要なホログラフ媒体の同じ位置に光を反射するために、非球面ミラーが光学系１０４を提供する。この非球面ミラーは、楕円の２個の焦点が領域３５と領域６０に一致するように、楕円反射面を近似することができる。非球面ミラーは、再導光されたビームが領域６０に記録されたホログラムのいずれともＢｒａｇｇ調和しないような角度で参照ビームを再導光することが好ましい。図５に図示するように、領域６０は必要であれば同じトラック３５に沿うことができる。したがって、トラック５２が記録されている間に、トラック５３を定着させることができる。図６に示すように、参照ビームがホログラフ媒体に向けて２回以上再導光されるように、追加の光学系を直列に加えることができる。
【００３１】
光学系１０４と１０７を用いて参照ビームを再導光する有利さの例示的実施例として、ホログラム当たりの露出線量に設定された閾値のため、ホログラフ媒体は累積露出が４００ｍＪ／ｃｍ２になることを考慮されたい。さらに、対象ビームと参照ビームはほぼ等しいエネルギー密度であり、ホログラフ媒体は入射光エネルギーの８５％を透過させることも考慮されたい。図６に示した幾何形状を用いて、参照ビームは媒体に向けて２回再導光して戻され、ＨＤＳＳの書き込み速度を低下させることなく、定着に利用できるエネルギー量は、３１５ｍＪ／ｃｍ２である。この露出実施例について、本発明のこの特定の実施例以外に、データの書き込みを行っている光学系に追加の３１５ｍＪ／ｃｍ２の定着露出が必要であれば、これはＨＤＳＳの書き込み速度が４４％低下することと解釈されるであろう。
【００３２】
図７は別の定着源１０５を組み込んだホログラフ媒体の断面を示す。一実施形態において、定着源はホログラフ媒体が感光性のある波長を放射する。定着源１０５は、定着源からホログラフ媒体４に向けて光を再導光するための光機械システムを組み込む。源１０５に収容される光源は、源によってノイズグレーチングが媒体３１に記録されないように、非干渉光源であることが好ましい。例えば、非干渉光源は白熱光または蛍光とすることができるが、ＬＥＤなど高効率源（電気−光エネルギー変換効率が高い）であることが好ましい。あるいは、光源は、静的または動的拡散器の使用によって非干渉性にすることができる。あるいは、定着源１０５は１個または複数の振動光学要素を組み込むことができる。したがって、干渉光源が使用されても、ホログラフ媒体中に形成されたあらゆる干渉縞が洗い流され、読み取られるホログラフデータのＢＥＲに与える影響が最小になる。同時に記録された位置３４ごとに単一の位置だけが定着を必要とするならば、ＨＤＳＳには１個だけの定着源１０５が存在する。２つの位置が定着を必要とすれば、再導光光学系１０７が加えられる。３つの位置が必要であれば、光学系１０４が加えられる。これらの追加の光学系１０４および１０７は、定着を必要とするホログラフ媒体の一部に１０５によって放射された透過光７１を再導光するように設計される。光学系１０４と１０７は、領域３５から現れる光が光学系１０７によって領域６０へ再導光され、領域６０からの透過光は光学系１０４によって領域７０へ再導光されるように、ほぼ楕円の非球面ミラーを組み込むことができる。１０５からの光ビームは、ホログラフ媒体上の特定の記録位置におけるホログラム数の関数として、（角度および／またはペリストロフィック多重の場合の参照ビーム１０１が行うように）必ずしも角度を変化させないので、光学系１０７と１０４は非球面ミラーである必要はなく、平面ミラーとすることができる。
【００３３】
ＨＤＳＳ中の別の定着源で、ＨＤＳＳが完全にまたは部分的に記録されたホログラフ媒体（円板）上に新しいデータを記録していないときと同様に、ホログラフ媒体の定着をデータの記録と同時に行うことができる。ＨＤＳＳ中に別の定着源を有することの利点は、定着源が、書き込みに必要な光源（参照ビーム源）よりも高いエネルギーとすることができることである。別の定着源は、ＨＤＳＳの書き込み速度に障害を与えることなく、十分な露出線量でホログラフ媒体に定着させることができる。記録に用いられるビームであれ、または別のビームであれ、定着ビームは媒体の同じ位置を通して１回以上再導光され、ホログラフ媒体の定着のための光線量レベルを達成することができる。したがって、追加の光学系１０４と１０７を追加して、上記参照ビームを複数回再導光することができる。
【００３４】
図７に示した幾何形状の配置はホログラフデータ記憶用の感光性媒体の熱定着に有用である。したがって、定着源１０５はホログラフ媒体３１によって吸収される波長を放射する。吸収された波長からのエネルギーは、熱の形で再放射することができる。例えば、特定のホログラフ媒体が吸収し熱の形で再放射することのできるＩＲ（赤外）波長をＨＤＳＳの定着に用いることができる。理想的には、感光性材料を加熱するための波長は、入射線の大部分が吸収される（例えば＞９０％）ように選択されることが理想的である。系１０４および１０７などの複数の光学系を用いて熱波長を再び導くことができる。系１０７または追加の光学系１０４の使用は加熱波長の吸収レベルに依存する。
【００３５】
定着源１０５は抵抗体ヒーターなどの熱源とすることができる。したがって、ホログラフ媒体の定着は輻射または対流加熱によって行われる。熱源の場合、光学系１０４および１０７を組み込んで、定着を必要とするホログラフ媒体へ熱を反射することができる。熱源は媒体が感受性のある波長を放射してもよいが、替りにそれらの波長を放射しなくてもよい。
【００３６】
図４、６、７において、光学系１０４、１０７および定着源１０５は、制御器１０６によって、記録されているホログラフ媒体上の記憶位置または特定のホログラム順序の関数として（図２参照）、配列および／または定着を行う放射線の方向付けとビーム形状が変化するように方向付けられてもよい。
【００３７】
定着源１０５はデータの書き込みおよび記録を行うＨＤＳＳ内にあることができるが、ＨＤＳＳの外部にあることもできる。例えば、読み取りと記録のためにホログラフ媒体が貯蔵スロットから取り出され、ホログラフ光ドライブ中に挿入されるライブラリーシステムにおいて、定着はＨＤＳＳ筐体の外部で行うことができる。フォーマット構造がホログラフ媒体への複数の書き込みと読み取りセッションをサポートするとき、ホログラフ媒体のフォーマット構造に応じて、単一書き込みセッションだけをサポートするフォーマット構造でＨＤＳＳ筐体の内部または外部の複数の定着セッションを用いることができ、ＨＤＳＳの内部または外部の単一定着セッションを用いることができる。
【００３８】
単一定着セッションだけが必要とされ、ホログラフ媒体全体を同時に定着させることのできる場合、図８に示した定着装置を用いてもよい。ホログラフ媒体４は、光源８０に露出され、ここで、上記源からの光８２が光学系８１を用いて光線８３がホログラフ媒体を露出するようにホログラフ表面へ導かれる。すなわち、媒体が暴露される。光源の波長は直接ホログラフ媒体を露出することができ、または光源の波長（例えばＩＲまたはマイクロウェーブ放射線）はホログラフ媒体が吸収して熱の形で再放射する波長とすることができる。暴露光源は、定着のためのこれらの基準（直接または間接熱露出）の両方を満足する波長を有することができる。反射器系８４を用いて、光線８５がホログラフ媒体４を露出するように、透過光のいくらかを上記ホログラフ媒体に向けて戻すことができる。図８には平面ミラーとして描いたが、反射器系８４は湾曲し、ホログラフ媒体および光源を部分的にまたは全体的に取り囲んで、定着の目的でホログラフ媒体に向けて導かれる光量を最大にすることができる。光源８０は、非干渉性であることが好ましい。また、あらゆる記録されたノイズグレーチングの強度は、回転拡散器の使用、または光源からの光を導くための１個または複数の光学要素８１を振動させることによって低減することができる。図８には単一ホログラフ媒体が示されるが、光源から導かれた暴露光によって、同時に複数のホログラフ媒体を同様に露出することができる。
【００３９】
図９を参照すれば、ホログラフ媒体の全体を定着することのできる定着装置が示される。熱オーブン８００は、その側面の全てまたは大部分を記録（露出）した後、ホログラフ媒体を十分な時間（例えば１分間）およびホログラフ媒体をその期間中に定着する十分な温度範囲を超えて加熱するためにホログラフ媒体４を実質上収容する。ホログラフ媒体は静止状態で保持することができ、または、媒体がオーブン中を矢８０７で示した方向に動くようにプーリー８０５で駆動されるコンベヤーベルト８０４上を運ばれる。ホログラフ媒体４は開口８０４を経由してドライブ中に挿入し、ホログラフが上記ホログラフ媒体の定着に必要な必要加熱エネルギーに露出されたとき、開口８０３で取り出すことができる。図９には単一のホログラフ媒体だけが示されるが、複数のホログラフ媒体をオーブン中で同時に露出することができる。
【００４０】
図１０は、ホログラフ媒体４および複数の書き込みと読み取りセッションを可能にするフォーマット構造を備えるＨＤＳＳを示し、上記ホログラフ媒体の定着は局部的に行われる。ここで、定着装置はＨＤＳＳの外部にある。ホログラフ媒体４はカートリッジ９０内部の円板フォーマットである。カートリッジは開口９２を有し、回転モーター９１を上記ホログラフ媒体に固定させ、上記媒体を矢９４で示した方向に軸９３の周りを回転させる。また、カートリッジ９０はホログラフ媒体を定着源９６にアクセスさせる開口９５を有する。定着源９６は、ホログラフ媒体を直接露出する光源、放射熱源、ホログラフ媒体が吸収し熱に変換する波長を有する光源、またはこれら３種の源の組み合わせとすることができる。源９６はＬＥＤアレー、またはレーザー、またはタングステンフィラメント、または加熱コイルであることが好ましい。源９６とホログラフ媒体４の間の光学系９７は定着放射線をホログラフ媒体４に向けて導光する。回転モーターがホログラフ媒体４を回転させると、円板全体はその１回転または複数の回転で定着される。例えば、源９６がＬＥＤアレーまたはレーザーダイオードのアレーである場合、ホログラフ媒体の選択された半径トラックだけ定着されるように、選択されたＬＥＤまたは選択されたレーザーダイオードだけを所定時間照射させることができ、ホログラフ媒体の一部だけを定着させることができる。定着源９６として干渉光源が用いられる場合、媒体は、上記光学源によってホログラフ媒体中に形成されたあらゆる干渉縞が定着露出の期間中に洗い流される速度で回転することができる。干渉縞が数ミクロンから数十ミクロン程度離れている実施例を考える場合、定着中ホログラフ媒体円板による５００ミクロンの動きは縞を洗い流すために十分であろう。必要な定着時間が２０ミリ秒であり、定着すべき半径トラックが５０ｍｍの半径であるならば、必要な円板の回転速度は約４．８ｒｐｍである。
【００４１】
ホログラフ媒体の定着をホログラフ書き込み作業と同時に、または分離して行うように説明したが、単一ステップが媒体の望ましい定着を十分行わないときなどは、複数の定着ステップによって定着を行うこともできる。これは、最初に、上述のように書き込み作業と同時にホログラフ媒体の全てまたは一部の定着をＨＤＳＳ中で行い、次いでその後、ホログラフ円板が、媒体に定着させる干渉源によって形成されたあらゆる縞を洗い流すために、ホログラフドライブの通常運転よりも高いｒｐｍで回転する間に、同じ（または異なる）ＨＤＳＳ内で（参照ビームまたは上述の別の光定着源によって）定着を完了させることによって達成することができる。
【００４２】
前述の説明から、特にホログラフ媒体の未使用の動的範囲へのスプリアス記録に対処するために後露出定着の組み込みを提供する、ホログラフデータ記憶の改善されたＨＤＳＳおよび方法が明らかであろう。疑いもなく、当業者であれば、本発明を実施するための本明細書に説明した方法および装置の変更および修正を想起するであろう。したがって、前述の説明は例示であり、制限するものではないことを理解すべきである。
【図面の簡単な説明】
【００４３】
【図１】ホログラフデータ記憶に用いられる光ポリマーについて、データページホログラム（Ｍ）の関数として必要な露出線量の非線形露出計画を示すプロット図である。
【図２】本発明を実施するＨＤＳＳの概要図である。
【図３】過剰サイズの参照ビームを用いて前にデータが記録されたホログラフ媒体の領域を定着させる、本発明の第１実施形態の運転をホログラフ媒体の断面で示す概要図である。
【図４】書き込み中にホログラフ媒体を通過した参照ビームが再び導かれて、定着を必要とするホログラフ媒体の他の部分（その断面が示される）を露出する、本発明の第２実施形態を示す図３と類似の概要図である。
【図５】同時に記録されている位置に隣接しない関係で定着される位置を示す円板の形のホログラフ媒体の平面図である。
【図６】本発明の第３実施形態を示す図３および４と類似の概要図であり、ホログラフ媒体の断面、および書き込み中にホログラフ媒体を通過した参照ビームが再び導かれて、定着を必要とするホログラフ媒体の他の部分（その断面が示される）を露出する第１光学系と、最初に再導光された参照ビームを媒体へ再導光して戻すための第２光学系を示す。
【図７】別の定着源がＨＤＳＳの内部に組み込まれる本発明の第４実施形態を示す、図３、４、６と類似の概要図である。
【図８】全て本発明の第５実施形態による、ホログラフ媒体中にデータを記録するＨＤＳＳの完全に外部にあり、ホログラフ媒体に定着させる装置を備える、ホログラフ媒体の断面を示す概要図である。
【図９】本発明の第６実施形態によるホログラフ媒体を熱的に定着させる装置の一実施例を示す概要図である。
【図１０】全て本発明の第７実施形態による、カートリッジ内に収容されたホログラフ媒体の一部を定着させる装置を有する、ＨＤＳＳの一部の概要斜視図である。
【図３】
2007519036.tif 000003
【図４】
2007519036.tif 000004
【図５】
2007519036.tif 000005
【図６】
2007519036.tif 000006
【図７】
2007519036.tif 000007
【図８】
2007519036.tif 000008
【図９】
2007519036.tif 000009
【図１０】
2007519036.tif 000010
【図１】
2007519036.tif 000011
【図２】
2007519036.tif 000012
【国際調査報告】
2007519036.tif 000013